【手続補正書】
【提出日】平成24年8月2日(2012.8.2)
【手続補正１】
【補正対象書類名】特許請求の範囲
【補正対象項目名】全文
【補正方法】変更
【補正の内容】
【特許請求の範囲】
【請求項１】
負圧条件に供された時、パイプシステムを周囲環境へ通気するよう構成された空気アドミッタンス弁であって、
頂部部分及び底部部分を備え、該底部部分の近くで該パイプシステムへシール式に取り付けられるよう構成された主ボデイであり、該主ボデイはまた、該パイプシステムと通じるよう構成された第１室を規定する、該主ボデイと、
内側及び外側弁座であり、該内側及び外側弁座の間に配置され、周囲環境と通じるよう構成された少なくとも１つの通気開口部を規定する該内側及び外側弁座と、
剛構造体を欠き、閉じ位置と開き位置の間を動くよう構成された柔軟性があり自由に動くシール用要素であり、該シール用要素が外側境界面と、内側境界面と、該外側及び内側境界面の間に広がり相対する頂面及び底面と、を規定している該シール用要素と、そして
該主ボデイにシール式に取り付けられるよう構成された蓋と、を具備しており、
該蓋は更に、該シール用要素の該底面が該内側及び外側弁座に対するよう乗り、かくして該通気開口部を通る流通を塞ぐ閉じ位置と、該第１室が該通気開口部を通して周囲環境と通じるよう該シール用要素が該内側及び外側弁座から離れ上昇する開き位置と、の間の往復で該シール用要素をガイドするために該シール用要素の内側境界面の一部の相対運動を可能にし及びシール用要素の該内側境界面の一部と接するよう構成された１つ以上のガイド用面を規定する１つ以上のガイド用要素を備える、該空気アドミッタンス弁。
【請求項２】
該蓋が頂部部分と、該頂部部分にほぼ垂直であり、該蓋の該頂部部分の外側境界から延びる側部部分と、を備え、該蓋の内面が第２室を規定するよう、該蓋の該頂部部分及び側部部分の各々は内面及び外面を規定する、請求項１に記載の空気アドミッタンス弁。
【請求項３】
該主ボデイが内面及び外面を規定するほぼ円柱形の主ボデイ壁を備えており、該主ボデイは更に該主ボデイ壁の該内面から内方へ延びる内部流通要素を規定しており、該内部流通要素は該第１室及び第２室間で該要素を通る流通を可能にする複数の開口部を有する、請求項２に記載の空気アドミッタンス弁。
【請求項４】
該主ボデイが内面及び外面を規定するほぼ円柱形の主ボデイ壁を備えており、該主ボデイ壁の１端は該内側弁座を規定しており、該主ボデイは更に、外側流通要素を規定しており、該外側流通要素の端部が該外側弁座を規定するよう該主ボデイ壁の該外面から外方へ、或る角度で延び、該主ボデイ壁の該外面と該外側流通要素との間には第３室が規定され、該外側流通要素は該第３室と周囲環境との間での該要素を通る流通を可能にする複数の開口部を有する、請求項２に記載の空気アドミッタンス弁。
【請求項５】
複数の支持壁が該第３室内に配置される請求項４に記載の空気アドミッタンス弁。
【請求項６】
前記１つ以上のガイド用要素が該蓋の該頂部部分の該内面から延びる複数のガイド用要素である請求項２に記載の空気アドミッタンス弁。
【請求項７】
該複数のガイド用要素が該蓋の該頂部部分の該内面から実質的に下方へ延びる複数の３角形のリブを有しており、該複数のリブが複数のガイド用エッジを規定し、該リブが仮想中心点の周りに半径方向に配置される請求項６に記載の空気アドミッタンス弁。
【請求項８】
該シール用要素の該頂面が内側支持リブと外側支持リブを有し、該内側及び外側支持リブがそれぞれ該内側及び外側弁座の近くで該シール用要素用支持を提供するよう構成される請求項１に記載の空気アドミッタンス弁。
【請求項９】
該シール用要素が更に該内側及び外側支持リブの間に配置された中間支持リブを有する請求項８に記載の空気アドミッタンス弁。
【請求項１０】
負圧条件に供された時、パイプシステムを周囲環境へ通気するよう構成された空気アドミッタンス弁であって、
頂部部分及び底部部分を備え、該底部部分の近くで該パイプシステムへシール式に取り付けられるよう構成された主ボデイであり、該主ボデイはまた、該パイプシステムと通じるよう構成された第１室を規定する、該主ボデイと、
内側及び外側弁座であり、該内側及び外側弁座の間に配置され、周囲環境と通じるよう構成された少なくとも１つの通気開口部を規定する該内側及び外側弁座と、
剛構造体を欠き、閉じ位置と開き位置の間を動くよう構成された柔軟性があり自由に動くシール用要素であり、該シール用要素が外側境界面と、内側境界面と、該外側及び内側境界面の間に広がり相対する頂面及び底面と、を規定している該シール用要素と、そして
該主ボデイの該頂部部分の近くで該主ボデイにシール式に取り付けられるよう構成された蓋と、を具備しており、
該主ボデイは更に、該シール用要素の該底面が該内側及び外側弁座に対するよう乗り、かくして該通気開口部を通る流通を塞ぐ閉じ位置と、該第１室が該通気開口部を通して周囲環境と通じるよう該シール用要素が該内側及び外側弁座から離れ上昇する開き位置と、の間の往復で該シール用要素をガイドするように該シール用要素の該内側境界面の一部の相対運動を可能にし及びシール用要素の該内側境界面の一部と接するよう構成された１つ以上のガイド用面を規定する１つ以上のガイド用要素を備える、該空気アドミッタンス弁。
【請求項１１】
該蓋が頂部部分と、該頂部部分にほぼ垂直であり、該蓋の該頂部部分の外側境界から延びる側部部分と、を備えており、該蓋の内面が第２室を規定するように、該蓋の該頂部及び側部部分の各々が内面及び外面を規定する、請求項１０に記載の空気アドミッタンス弁。
【請求項１２】
該主ボデイが内面及び外面を規定するほぼ円柱形の主ボデイ壁を備えており、該主ボデイ壁の１端が該内側弁座を規定しており、該主ボデイは更に、外側流通要素を規定しており、該外側流通要素の端部が該外側弁座を規定するように、該主ボデイ壁の該外面から外方へ、或る角度で延び、該主ボデイ壁の該外面と該外側流通要素との間には第３室が規定され、該外側流通要素は該第３室と周囲環境との間で該外側流通要素を通る流通を可能にする複数の開口部を有する、請求項１１に記載の空気アドミッタンス弁。
【請求項１３】
複数の支持壁が該第３室内に配置される請求項１１に記載の空気アドミッタンス弁。
【請求項１４】
該主ボデイが内面及び外面を規定するほぼ円柱形の主ボデイ壁を備えており、該主ボデイが更に該主ボデイ壁の該内面から内方へ延びる内側流通要素を規定しており、該内側流通要素は該第１室及び第２室の間で該要素を通る流通を可能にする複数の開口部を有する、請求項１１に記載の空気アドミッタンス弁。
【請求項１５】
該１つ以上のガイド用要素が該主ボデイの該内側流通要素から延びる複数のガイド用要素である請求項１４に記載の空気アドミッタンス弁。
【請求項１６】
該複数のガイド用要素が該内側流通要素から実質的に上方へ延びる複数の３角形のリブを有しており、該リブが仮想中心点の周りに半径方向に配置される請求項１５に記載の空気アドミッタンス弁。
【請求項１７】
該シール用要素の該頂面が内側支持リブと外側支持リブを有しており、該内側及び外側支持リブがそれぞれ内側及び外側弁座の近くで該シール用要素用の支持を提供するよう構成される請求項１０に記載の空気アドミッタンス弁。
【請求項１８】
該シール用要素が更に該内側及び外側支持リブの間に配置された中間支持リブを有する請求項１７に記載の空気アドミッタンス弁。
【請求項１９】
負圧条件に供された時パイプシステムを周囲環境に通気するよう構成された空気アドミッタンス弁において、
堅い材料製で、頂部部分及び底部部分を有し、該底部部分の近くで該パイプシステムにシール式に取り付けられるよう構成された主ボデイであって、該主ボデイは実質的に同心の内側及び外側弁座と、該内側及び外側弁座の間にあり、周囲環境と通じるよう構成された少なくとも１つの通気開口部と、を備えており、該主ボデイはまた該パイプシステムと通じるよう構成された主ボデイ室を規定しており、該主ボデイは内面及び外面を規定するほぼ円柱形の主ボデイ壁を備えており、該主ボデイ壁の１端は該内側弁座を規定しており、該主ボデイは更に内側流通要素と外側流通要素とを規定しており、該内側流通要素は該主ボデイ壁の該内面から内方へ延び、該主ボデイ室と蓋室の間で該内側流通要素を通る流通を可能にする複数の開口部を有しており、該外側流通要素は、該外側流通要素の端部が該外側弁座を規定するように該主ボデイ壁の該外面から外方へ、或る角度で、延びており、該主ボデイ壁の該外面と該外側流通要素の間に外側流通室が規定され、該外側流通要素は該外側流通室と周囲環境の間で該外側流通要素を通る流通を可能にする複数の開口部を有している、該主ボデイと、
閉じ位置と開き位置の間を動くよう構成された柔軟でリング型のシール用要素であって、該シール用要素が外側境界面と、内側境界面と、該外側及び内側境界面の間に広がり相対する頂面及び底面と、を規定する該シール用要素と、そして
堅い材料製で、該主ボデイの該頂部部分の近くで該主ボデイにシール式に取り付けられるよう構成された蓋であって、該蓋が頂部部分と、該頂部部分にほぼ垂直で、該蓋の該頂部部分の外側境界から延びる側部部分と、を備えており、該蓋の内面が該蓋室を規定するように、該蓋の該頂部及び側部部分の各々は内面及び外面を規定する該蓋と、を具備しており、
該蓋は更に、該蓋の該頂部部分の該内面から実質的に下方へ延び、仮想中心点の周りに半径方向に配置された複数の３角形のリブを備えるが、該装備は、該複数のリブが、該シール用要素の該底面が該主ボデイの該内側及び外側弁座に対するよう乗り、かくして該通気開口部を通る流通を塞ぐ該閉じ位置と、該主ボデイ室が該通気開口部、該蓋室そして該外側流通室を通り周囲環境と通じるよう該シール用要素が該内側及び外側弁座から離れ上昇する該開き位置と、の間の往復で該シール用要素をガイドするよう、該シール用要素の該内側境界面と契合するべく構成された複数のガイド用エッジを規定するためである、該空気アドミッタンス弁。